(57)【要約】【課題】落下物からの衝撃を十分に緩和することができる、携帯可能な折り畳み式ヘッドプロテクタを提供する。【解決手段】薄板状のプロテクタ本体２と、このプロテクタ本体２を折り曲げてヘルメット状で保持する保形手段とよりなる折り畳み式ヘッドプロテクタ１Ａであって、複数の挿通孔６、６、…を有するプロテクタ本体２と、複数の挿通孔６、６、…に挿通され、ヘルメット状のプロテクタ本体２の内側で互いに交差する紐体３、３と、プロテクタ本体２をヘルメット状に変形して紐体３、３で保持した状態で、プロテクタ本体２に対する紐体３、３の移動を規制することで、プロテクタ本体２をヘルメット状で保持する規制部材４、４とよりなる保形手段とを備え、ヘルメット状に保持した状態で、紐体３、３がプロテクタ本体２内の天井面よりも下方で交差して、頭部保護用のハンモック部９を形成した。【選択図】図１
2017075415.tif 000002
【特許請求の範囲】
【請求項１】
薄板状のプロテクタ本体と、このプロテクタ本体を折り曲げてヘルメット状で保持する保形手段とよりなる折り畳み式ヘッドプロテクタであって、
複数の挿通孔を有するプロテクタ本体と、
前記複数の挿通孔に挿通され、ヘルメット状の前記プロテクタ本体の内側で互いに交差する紐体と、前記プロテクタ本体をヘルメット状に変形して前記紐体で保持した状態で、前記プロテクタ本体に対する前記紐体の移動を規制することで、前記プロテクタ本体をヘルメット状で保持する規制部材とよりなる保形手段とを備え、
ヘルメット状に保持した状態で、前記紐体が前記プロテクタ本体内の天井面よりも下方で交差して、頭部保護用のハンモック部を形成してなることを特徴とする折り畳み式ヘッドプロテクタ。
【請求項２】
前記複数の挿通孔のうち前記ハンモック部を支持するものを、前記プロテクタ本体をヘルメット状に保持した状態で略同一平面内に配置してなる請求項１記載の折り畳み式ヘッドプロテクタ。
【請求項３】
前記ハンモック部の中央に前記紐体が位置しないものとしてなる請求項１又は２記載の折り畳み式ヘッドプロテクタ。
【請求項４】
前記プロテクタ本体が、使用状態の天頂部分となる上面部を多角形状に形成し、該上面部の周囲に折り目を介して複数の側面部を配置し、且つ、該側面部が平面視において前記上面部と同一形状又は前記上面部よりも小さい形状に折り畳むができるものとしてなる請求項１乃至３の何れか１項記載の折り畳み式ヘッドプロテクタ。
【請求項５】
前記プロテクタ本体が、合成樹脂製のシートの外側面にポリウレア樹脂層を設けてなる請求項１乃至４の何れか１項記載の折り畳み式ヘッドプロテクタ。
【発明の詳細な説明】
【技術分野】
【０００１】
本発明は、落下物からの衝撃を十分に緩和することができる、携帯可能な折り畳み式ヘッドプロテクタに関するものである。
【背景技術】
【０００２】
従来、携帯性に優れた簡易組み立て式保護帽として、発泡性合成樹脂等の緩衝材から成り、全体として扁平状態をなし隣接同士が接合されている複数枚の帽体片と、これら帽体片全体の周辺部に形成した孔に挿通される紐部材から成り、該紐部材を絞り込んで上記帽体片全体の周辺部を相互に引き寄せ、略半球状の帽体を組み立てるものがある（特許文献１参照）。
【０００３】
この保護帽は、紐部材を引くことで簡単に保護帽として組み立てることができるものであるが、使用者の頭は直接帽体に接触することとなるため、落下物からの衝撃を十分に緩和することができないものであった。
【０００４】
また、常時折り畳み平板状で持ち運びが可能で、緊急時、容易に立体的となり、頭部を保護出来る、使い捨ての防災用簡易組み立て帽子として、頭部を覆う所望の立体形状の展開図よりなる簡易組み立て帽子であって、該展開図は平面要素の組み合わせよりなり、各要素は隣り合う要素と折り曲げヒンジを介して結合していて、所望の要素に設けた小孔を通って両端を他の別々の要素に固定した１〜複数本の紐を設け、該紐を引いて絞ることにより、頭部を覆う立体形状となるものであり、頭頂部及びその周囲の内側にクッション性を右右する裏当てを取り付けたものがある（特許文献２参照）。
【０００５】
この組み立て帽子も、紐を引っ張ることによりワンタッチで組み立てることができるものであって、更にその内側にクッション性を有する裏当てを取り付けたものである。
しかし、内側にクッション性を有する裏当てを貼り付けただけでは、落下物からの衝撃を十分に緩和することは難しく、また、折り畳み可能に構成された各要素に裏当てを設けることでその構造が複雑となってしまい、裏当てを有することによって、折り畳み時においても板厚が厚くなるため嵩張るとともに重くなり、携帯する頭部保護用の帽子に適さないものとなっていた。
【先行技術文献】
【特許文献】
【０００６】
【特許文献１】特開２００１−１１５３２５号公報
【特許文献２】特開２０１１−０２１２９３号公報
【発明の概要】
【発明が解決しようとする課題】
【０００７】
本発明が前述の状況に鑑み解決しようとするところは、落下物からの衝撃を十分に緩和することができる、携帯可能な折り畳み式ヘッドプロテクタを提供する点にある。
【課題を解決するための手段】
【０００８】
本発明に係る折り畳み式ヘッドプロテクタは、前記課題解決のために、薄板状のプロテクタ本体と、このプロテクタ本体を折り曲げてヘルメット状で保持する保形手段とよりなる折り畳み式ヘッドプロテクタであって、複数の挿通孔を有するプロテクタ本体と、前記複数の挿通孔に挿通され、ヘルメット状の前記プロテクタ本体の内側で互いに交差する紐体と、前記プロテクタ本体をヘルメット状に変形して前記紐体で保持した状態で、前記プロテクタ本体に対する前記紐体の移動を規制することで、前記プロテクタ本体をヘルメット状で保持する規制部材とよりなる保形手段とを備え、ヘルメット状に保持した状態で、前記紐体が前記プロテクタ本体内の天井面よりも下方で交差して、頭部保護用のハンモック部を形成してなることを特徴とするものである。
【０００９】
ここで、前記複数の挿通孔のうち前記ハンモック部を支持するものを、前記プロテクタ本体をヘルメット状に保持した状態で略同一平面内に配置してなると好ましい。
【００１０】
また、前前記ハンモック部の中央に前記紐体が位置しないものとしてなると、より好ましい。
【００１１】
さらに、前記プロテクタ本体が、使用状態の天頂部分となる上面部を多角形状に形成し、該上面部の周囲に折り目を介して複数の側面部を配置し、且つ、該側面部が平面視において前記上面部と同一形状又は前記上面部よりも小さい形状に折り畳むができるものとしてなるものであってもよい。
【００１２】
さらにまた、前記プロテクタ本体が、合成樹脂製のシートの外側面にポリウレア樹脂層を設けてなるものであってもよい。
【発明の効果】
【００１３】
本発明に係る折り畳み式ヘッドプロテクタによれば、保形手段である紐体を用いてプロテクタ本体の内側に頭部保護用のハンモック部を形成するため、折り畳み式としての携帯しやすさや構造上の簡易性を備えつつ、頭部を確実に保護することができる。
【００１４】
また、前記複数の挿通孔のうち前記ハンモック部を支持するものを、前記プロテクタ本体をヘルメット状に保持した状態で略同一平面内に配置してなるものによると、ハンモック部が平面で形成されるとともに、ハンモック部を形成する紐体同士が互い係合するため、頭部を保護するハンモック部の強度を簡易な構成で向上することができる。
【００１５】
さらに、前記ハンモック部の中央に前記紐体が位置しないものとしてなるものであれば、紐体がハンモック部の中央以外で交差し且つ中央には紐体が位置しないため、使用者の頭部の天頂部をこの空間に嵌め込むように装着することで、安定して使用することができる。
【００１６】
さらにまた、前記プロテクタ本体が、使用状態の天頂部分となる上面部を多角形状に形成し、該上面部の周囲に折り目を介して複数の側面部を配置し、且つ、該側面部が平面視において前記上面部と同一形状又は前記上面部よりも小さい形状に折り畳むができるものとしてなるものによれば、全体をプロテクタ本体の上面部と同一又は上面部よりも小さい形状に折り畳むことが可能となるため、収納面や携帯性でより有用なものとすることできる。
【００１７】
また、前記プロテクタ本体が、合成樹脂製のシートの外側面にポリウレア樹脂層を設けてなるものによれば、軽量且つ強度の高い折り畳み式ヘッドプロテクタとすることができるため、頭部に装着するものとして、より好適なものとすることができる。
【図面の簡単な説明】
【００１８】
【図１】本発明の実施形態に係る折り畳み式ヘッドプロテクタの構成を示す斜視図である。
【図２】同じく折り畳み式ヘッドプロテクタの構成を示す底面側の斜視図である。
【図３】同じく折り畳み式ヘッドプロテクタの展開状態を示す斜視図である。
【図４】同じく折り畳み式ヘッドプロテクタのプロテクタ本体の展開状態を示す平面図である。
【図５】同じく折り畳み式ヘッドプロテクタの折り畳み状態を示す斜視図である。
【図６】本発明に係る折り畳み式ヘッドプロテクタのハンモック部の構成例を示す平面図であって、（ａ）は隣接部同士をつなぐことで略斜め格子状のハンモック部を構成する紐体を設けたもの、（ｂ）は対面をつなぐことで略格子状のハンモック部を構成する紐体を設けたもの、（ｃ）は対面を斜めにつなぐことで中央集結型のハンモック部を構成する紐体を設けたもの、（ｄ）は隣接部同士を上下方向にも斜めにつなぐことで平面視略斜め格子状となる立体的交差型のハンモック部を構成する紐体を設けたものである。
【発明を実施するための形態】
【００１９】
以下、本発明の実施形態を添付図面に基づき詳細に説明するが、本発明は、添付図面に示された形態に限定されず特許請求の範囲に記載の要件を満たす実施形態の全てを含むものである。
【００２０】
本明細書において、プロテクタ本体２の前側面部２ｂを前、後側面部２ｃを後として前後方向を決定し、この前後方向に基づいて左右方向を決定する。また、ヘルメット状の使用状態における内側及び外側を、折り畳み式ヘッドプロテクタ１及びプロテクタ本体２の展開状態、折り畳み状態においても同様に称するものとする。
また、ヘルメット状とは、使用者の頭部を保護するための形状であればよく、一般的な頭部のみを保護するヘルメット形状は勿論、例えば、耳や顎も保護するヘルメット形状や各種の帽子形状、防災頭巾などの他の頭部への装着具の形状及びこれに似た形状も含むものとし、交差とは、同一平面において二以上の直線が交わる平面的な交差と、異なる平面にある二以上の直線が一方向から見たときに交わる立体的な交差とを含むものとする。
【００２１】
本発明に係る折り畳み式ヘッドプロテクタ１Ａの実施形態を、図１〜図５に沿って説明する。
【００２２】
図１乃至図３に示すように、折り畳み式ヘッドプロテクタ１Ａは、薄板状のプロテクタ本体２と、このプロテクタ本体２を折り曲げてヘルメット状で保持する保形手段とよりなる折り畳み式ヘッドプロテクタ１Ａであって、複数の挿通孔６、６、…を有するプロテクタ本体２と、前記複数の挿通孔６、６、…に挿通され、ヘルメット状の前記プロテクタ本体２の内側で互いに交差する紐体３、３と、前記プロテクタ本体２をヘルメット状に変形して前記紐体３、３で保持した状態で、前記プロテクタ本体２に対する前記紐体３、３の移動を規制することで、前記プロテクタ本体２をヘルメット状で保持する規制部材４、４とよりなる保形手段とを備え、ヘルメット状に保持した状態で、前記紐体３、３が前記プロテクタ本体２内の天井面よりも下方で交差して、頭部保護用のハンモック部９を形成してなるものである。
【００２３】
プロテクタ本体２は、図４にも示すように、一枚の薄板材で形成されたものであって、略矩形状の上面部２ａと、この上面部２ａの周囲に折り目７ａを介して設けられた、前側面部２ｂ、後側面部２ｃ、左側面部２ｄ及び右側面部２ｅを備えるものである。上面部２ａは略矩形状であるため、この周囲に設けられた四枚の側面部が頭部の前後面及び左右両側面を効果的に保護することができる。
また、前側面部２ｂ及び後側面部２ｃには、中央に上下方向にのびる補強リブ８が設けられ、左側面部２ｄ及び右側面部２ｅの下方には、折り目７ｃを介して延長片２ｆが夫々設けられているとともに、各側面部２ｂ、２ｃ、２ｄ、２ｅには、複数の挿通孔６、６、…が設けられている。
【００２４】
なお、プロテクタ本体２は、合成樹脂製の板材の外側面に、ポリウレア樹脂層を備えたものであるため、高い強度と耐衝撃性及び弾力性を有し、また形状的な変形可能性も有している。ここで、ポリウレア樹脂には幾つかのグレードがあり、それぞれ特性は異なるので、プロテクタ本体２には、プロテクタとして最適なグレードのもの選択して用いる必要があるが、本実施形態のポリウレア樹脂は、引張り特性として、初期弾性率ならびに弾性限界の応力が高く、且つ伸びが大きくて降伏強度が高い樹脂が好適であるため、具体的には、スターライト工業社製、商品名：ＲＥＳＴＡＲ３５０のポリウレア樹脂を用いた。
【００２５】
挿通孔６には、ハンモック部支持用の挿通孔６ａ、隣接部連結用の挿通孔６ｂ、顎紐支持用の挿通孔６ｃがある。
【００２６】
ハンモック部支持用の挿通孔６ａは、各側面部２ｂ、２ｃ、２ｄ、２ｅに夫々二つ設けられている。各側面部２ｂ、２ｃ、２ｄ、２ｅの夫々に二つの挿通孔６ａ、６ａが設けられているため、紐体３をまず一方の挿通孔６ａに内側から外側に向かって挿通し、次に紐体３を他方の挿通孔６ａに外側から内側に向かって挿通することで、これらの挿通孔６ａ、６ａを有する各側面部２ｂ、２ｃ、２ｄ、２ｅに、ハンモック部９を確実に支持させることができる。
また、ハンモック部支持用の二つの挿通孔６ａ、６ａは、側面部形成用の折り目７ａに平行になるように設けられている。これにより、これらの挿通孔６ａ、６ａによって支持されるハンモック部９は、ヘルメット状のプロテクタ本体２の内側で略水平面上に形成され、且つ、紐体３同士が接触し、又は接触に近い状態で位置するため、ハンモック部９が強度の高いものとなっている。
【００２７】
隣接部連結用の挿通孔６ｂは、前側面部２ｂ及び後側面部２ｃの隣接部に連結する辺に夫々二つ、左側面部２ｄ及び右側面部２ｅの隣接部に連結する辺に夫々一つ設けられている。前側面部２ｂ及び後側面部２ｃの二つの隣接部連結用の挿通孔６ｂ、６ｂは、左側面部２ｄ及び右側面部２ｅに設けられた隣接部連結用の挿通孔６ｂとハンモック部支持用の挿通孔６ａとの間隔と略同一寸法の間隔があけられているため、これらに紐体３を挿通することで、隣接する側面部２ｂ、２ｃ、２ｄ、２ｅ同士を強固に連結固定することができる。
また、前側面部２ｂ及び後側面部２ｃの隣接部連結用の挿通孔６ｂ、６ｂは、各側面部の折り目７ａよりも外側に突出する位置に設けられているため、プロテクタ本体２をヘルメット状としたときに、前側面部２ｂ及び後側面部２ｃが、下方向に斜め外側に広がるように斜めに形成され、ヘッドプロテクタとしてより適した形状を成すものとなっている。
【００２８】
顎紐支持用の挿通孔６ｃは、左側面部２ｄ及び右側面部２ｅの下部に折り目７ｃで区画された延長片２ｆの自由端部近傍に夫々二つ設けられている。このため、ヘッドプロテクタとして使用するときに、紐体３が左右の延長片２ｆ、２ｆの下側から垂れ下がり、これらを留具５によって連結することで、顎紐を構成することができる。
【００２９】
プロテクタ本体２には、二本の紐体３、３が、各挿通孔６ａ、６ｂ、６ｃに挿通されることで移動可能に取り付けられている。
プロテクタ本体２への紐体３、規制部材４及び留具５の取付方法は、まず、一方の紐体３を、左側面部２ｄの延長片２ｆの顎紐支持用の挿通孔６ｃから挿通し、左側面部２ｄの隣接部連結用の挿通孔６ｂ、前側面部２ｂの二つの隣接部連結用の挿通孔６ｂ、６ｂを挿通して、左側面部２ｄのハンモック部支持用の挿通孔６ａを挿通する。次に後側面部２ｃのハンモック部支持用の二つの挿通孔６ａに挿通した後、右側面部２ｅのハンモック部支持用の挿通孔６ａに挿通し、前側面部２ｂの二つの隣接部連結用の挿通孔６ｂ、６ｂを挿通して、右側面部２ｅの隣接部連結用の挿通孔６ｂ、顎紐支持用の挿通孔６ｃと挿通する。次に、他方の紐体も、同様に各挿通孔６ａ、６ｂ、６ｃに挿通することで、二本の紐体がプロテクタ本体２に取り付けられることとなる。最後に左右の二つの顎紐支持用の挿通孔６ｃ、６ｃから垂れ下がる紐体３、３に、夫々規制部材４、４を取り付けた後に、全ての紐体３の端部を連結するように留具５を取り付けて、折り畳み式ヘッドプロテクタ１となる。
このように、紐体３がプロテクタ本体２の各側面部２ｂ、２ｃ、２ｄ、２ｅに挿通されて取り付けられているため、二つの顎紐支持用の挿通孔６ｃ、６ｃから垂れ下がる紐体３を引っ張ることで、プロテクタ本体２をヘルメット状に形成するとともに、ハンモック部９を構成することができる。
また、紐体３が隣接する側面部同士をプロテクタ本体２の外側で連結するとともに、プロテクタの内側でもハンモック部９を形成しつつ連結しているため、側面部間の連結強度がより高いものとなっている。
なお、延長片２ｆの耳に対応する部分には、プロテクタ本体の内側に二本の紐体が通っているため、装着時において、使用者の耳が硬いプロテクタ本体に直接接触せず、また、耳が平面的なプロテクタ本体２によって塞がれるようなこともない。
ここで、プロテクタ本体２の内面には、緩衝材を設けて更に保護性能を高くしてもよく、この場合に上面部の内面のみ緩衝材を設けることで、折り畳みのし易さや折り畳み時のサイズにあまり影響なく、保護性能を高くすることもできる。
【００３０】
規制部材４は、長手方向を圧縮するように押圧することで紐体３に対して移動可能なものであって、二つの顎紐支持用の挿通孔６ｃ、６ｃから垂れ下がる紐体３、３に夫々設けられている。このため、ヘルメット状のプロテクタ本体２の紐体３を、この規制部材４を用いてプロテクタ本体２に対して移動不能とすることで、プロテクタ本体２をヘルメット状で保持することができる。
【００３１】
なお、ヘルメット状での保持状態では、規制部材４は、プロテクタ本体２の保形性によって紐体３から引っ張られることとなるが、規制部材４がプロテクタ本体２の延長片２ｆに当接しているため、プロテクタ本体２に対して移動不能で維持される。ここで、延長片２ｆは、左側面部２ｄ又は右側面部２ｅの下部に、折り目７ｃで区画されたものである。このため、頭部に装着しない状態で、規制部材４を用いてヘルメット状とすると、延長片２ｆは、紐体３に引張力によって内側に傾倒する。このため、使用者はプロテクタ本体２を使用する際に、まず内方に傾倒した左右の延長片２ｆ、２ｆを外方に広げ、頭部に装着することとなるが、装着後は、延長片２ｆが耳や頬などに当接することで、一定以上内方に傾倒することはない。同時に、左右の延長片２ｆ、２ｆの耳や頬などへの押圧によって、折り畳み式ヘッドプロテクタ１が容易に脱落しない。また、紐体が左右の延長片２ｆ、２ｆによって引っ張られた状態で保持されているため、紐体３によって保持されているプロテクタ本体２のヘルメット状の保形を強固なものとしつつ、ハンモック部９の強度もより高いものとなっている。
【００３２】
紐体３と規制部材４はプロテクタ本体２をヘルメット状に保持する保形手段であって、プロテクタ本体２とともに、折り畳み式ヘッドプロテクタ１の主要部材となる。
ここで、紐体３は、紐状や細帯状のものであればよいが、長手方向に若干のびるもの、例えば編み紐のようなものであれば、ハンモック部９をより高い緩衝性をもたせることもできる。
また、規制部材４は、プロテクタ本体２に対して紐体３を移動可能とすることができるものであればよく、例えば、プロテクタ本体２の左右の延長片２ｆ、２ｆに紐体３を引掛けて留めることができる引掛け部を形成してなるものであってもよい。
【００３３】
以下、折り畳み式ヘッドプロテクタ１の折り畳みに関し説明する。
図４に示すように、プロテクタ本体２の各側面部２ｂ、２ｃ、２ｄ、２ｅは、上面部２ａと同一又は上面部２ａよりも小さい平面形状となるように構成されている。
具体的には、前側面部２ｂ及び後側面部２ｃは、幅広形状となっているが、その幅方向に小さくなるように折り畳むことができる、二本の平行する折り目７ｂ、７ｂが設けられている。また、左側面部２ｄ及び右側面部２ｅは、それらの下部に延長片２ｆが設けられていることによって長くなっているが、その長手方向に小さくなるように、一本の折り目７ｃが夫々設けられている。これらの折り目７ｂ、７ｃによって各側面部２ｂ、２ｃ、２ｄ、２ｅは、上面部２ａと略同一形状又は上面部２ａよりも小さい平面形状に折り畳むことができる。
このため、上面部２ａと略同一形状又は上面部２ａよりも小さい平面形状となった各側面部２ｂ、２ｃ、２ｄ、２ｅを、上面部２ａに重ねるように折り畳むことで、図５に示すように、嵩張らない収納状態とすることができる。
図５には折り畳み式ヘッドプロテクタ１の最小状態の一例を示しているが、前側面部２ｂ及び後側面部２ｃ、又は、左側面部２ｄ及び右側面部２ｅの何れか一方のみを折り畳み、他方を折り畳まない状態とすることで、厚みを抑えた折り畳み状態とすることもできる。
【００３４】
図６には、ハンモック部９の構成例を示しているが、ハンモック部９は、プロテクタ本体２をヘルメット状に形成した状態で、紐体３がプロテクタ本体２の内側の天井面よりも下方で互いに交差してなるものであればよい。
【００３５】
図６（ａ）に示すように、上記折り畳み式ヘッドプロテクタ１と同様に、隣接部同士を紐体３でつなぐことで斜め格子状のハンモック部９Ａを構成してもよく、このような構成によると、ハンモック部９Ａは中央に紐体３を有さず、且つ、水平に形成されるとともに、各紐体３がハンモック部９Ａ形成時において、互いに接触し、又は接触しやすい位置とすることができ、ハンモック部９Ａの強度が高く、頭部への装着感も良いものとすることができる。
【００３６】
図６（ｂ）に示すように、対向する側面部２ｂ、２ｃ、２ｄ、２ｅを紐体３でつなぐことで略格子状のハンモック部９Ｂを構成してもよく、このような構成によると、（ａ）のハンモック部９Ａと同様に、ハンモック部９Ｂは中央に紐体３を有さず、且つ、水平に形成されるとともに、各紐体３がハンモック部９Ｂ形成時において、互いに接触し、又は接触しやすい位置とすることができ、ハンモック部９Ｂの強度が高く、頭部への装着感も良いものとすることができるが、紐体３の取付けが若干複雑なものとなる。
【００３７】
図６（ｃ）に示すように、対向する側面部２ｂ、２ｃ、２ｄ、２ｅを斜めにつなぐことで中央集結型のハンモック部９Ｃを構成してもよく、このような構成によると、ハンモック部９Ｃが水平に形成されるとともに、各紐体３がハンモック部９Ｃ形成時において、互いに接触し、又は接触しやすい位置とすることができ、ハンモック部９Ｃの強度が高くすることができるが、頭部の天頂部に紐体３の集合部が支持されるため、装着感はあまりよくないものとなる。
【００３８】
図６（ｄ）に示すように、隣接部同士を上下方向にも斜めとなるように紐体３でつなぐことで、平面視斜め格子状となる立体的交差型のハンモック部９Ｄを構成してもよく、このような構成によると、ハンモック部９Ｄは中央に紐体３を有さず頭部への装着感を良いものとすることができるが、ハンモック部９Ｄ形成時において、各紐体３が互いに接触しないため、ハンモック部９Ａの強度を高くすることが難しいものとなる。
【００３９】
図６に示す折り畳み式ヘッドプロテクタ１Ａ，１Ｂ，１Ｃ、１Ｄは、主要な構成のみを備えた簡易的なものとしているが、これらに適宜必要な構成、例えば、側面部の下方に設ける延長片等の追加保護機能を有するものや、側面部を幅方向に広げて各側面部間の連結を補助する補強効果機能を有するものを加えたものとすることができる。
【００４０】
なお、上記実施形態では、プロテクタ本体２を一枚板よりなるものとして説明したが、これに限らず、上面部の周囲に各側面部が折り曲げ部を介して配置されているものであればよく、例えば、上面部及び各側面部が夫々一枚板によって構成され、これらが互いに連結具を用いて回動可能に連結されたものであってもよい。また、プロテクタ本体２の各部には、必要に応じて補強リブや折り目を設けてもよい。
さらに、プロテクタ本体２に設けられた挿通孔６は、プロテクタ本体２自体に小孔を設けて構成しているが、これに限らず、例えばプロテクタ本体２に別部材が固定され、紐体３が挿通し得る孔を形成するものであってもよい。
【符号の説明】
【００４１】
１，１Ａ，１Ｂ，１Ｃ，１Ｄ  折り畳み式ヘッドプロテクタ
２     プロテクタ本体
２ａ 上面部
２ｂ 前側面部
２ｃ 後側面部
２ｄ 左側面部
２ｅ 右側面部
２ｆ 延長片
３     紐体
４     規制部材
５     留具
６     挿通孔
６ａ ハンモック支持用の挿通孔
６ｂ 隣接部連結用の挿通孔
６ｃ 顎紐支持用の挿通孔
７     折り目
７ａ 折り目（側面部用）
７ｂ 折り目（連結用）
７ｃ 折り目（延長片用）
８     補強リブ
９，９Ａ，９Ｂ，９Ｃ，９Ｄ  ハンモック部
【図１】
2017075415.tif 000003
【図２】
2017075415.tif 000004
【図３】
2017075415.tif 000005
【図４】
2017075415.tif 000006
【図５】
2017075415.tif 000007
【図６】
2017075415.tif 000008